(57)【要約】【課題】防湿効果を有するとともに、生産性の低下を防止することができる家庭用薄葉紙収納箱を提供する。【解決手段】上面部２、底面部３、一対の側面部４，４及び一対の妻面部５，５により区画された箱体１０により構成され、当該箱体１０の内部空間に保湿ティシューペーパーＴを収納して上面部２に設けられた取出口２ａから当該保湿ティシューペーパーＴを取り出し可能なティシューカートン１において、底面部３、及び一対の側面部４，４は、箱体１０と、箱体１０を覆うカバー体と、からなる二層構造を有するとともに、妻面部５は、箱体１０のみからなる構造を有する。また、カバー体と箱体１０との間に防湿処理が施されている。また、カバー体は、箱体１０の裏面に位置している。【選択図】図１
2014196110.tif 000002
【特許請求の範囲】
【請求項１】
上面部、底面部、一対の側面部及び一対の妻面部により区画された箱体により構成され、当該箱体の内部空間に家庭用薄葉紙を収納して前記上面部に設けられた取出口から当該家庭用薄葉紙を取り出し可能な家庭用薄葉紙収納箱において、
前記底面部、及び一対の側面部は、前記箱体と、前記箱体を覆うカバー部と、からなる二層構造を有するとともに、前記妻面部は、前記箱体のみからなる構造を有し、
前記カバー部と前記箱体との間に防湿処理が施され、
前記カバー部は、前記箱体の裏面に位置していることを特徴とする家庭用薄葉紙収納箱。
【請求項２】
更に前記上面部は、前記二層構造を有することを特徴とする請求項１に記載の家庭用薄葉紙収納箱。
【請求項３】
前記カバー部と前記箱体との間には、防湿剤が塗布されていることを特徴とする請求項１又は２に記載の家庭用薄葉紙収納箱。
【請求項４】
前記カバー部の前記箱体側の面又は前記箱体の前記カバー部側の面には、樹脂フィルムが貼付されていることを特徴とする請求項１又は２に記載の家庭用薄葉紙収納箱。
【請求項５】
前記カバー部と前記箱体との間には、更に防カビ剤が塗布されていることを特徴とする請求項１〜４のいずれか一項に記載の家庭用薄葉紙収納箱。
【請求項６】
前記カバー部と前記箱体との間には、更に防臭剤が塗布されていることを特徴とする請求項１〜５のいずれか一項に記載の家庭用薄葉紙収納箱。
【請求項７】
前記箱体に開閉自在に設けられるとともに、当該箱体の表面側から前記取出口を閉塞する蓋フラップ部を更に備えることを特徴とする請求項１〜６のいずれか一項に記載の家庭用薄葉紙収納箱。
【発明の詳細な説明】
【技術分野】
【０００１】
本発明は、家庭用薄葉紙収納箱に関する。
【背景技術】
【０００２】
従来、積層され、或いはロール状に巻回された家庭用薄葉紙を内部に収容し、上面部などに設けられた開口部から内部に収容された家庭用薄葉紙を取り出して使用する家庭用薄葉紙収納箱が知られている（例えば、特許文献１参照）。
家庭用薄葉紙収納箱に収納する家庭用薄葉紙の一例である保湿ティシューペーパーは、ローション薬液等の保湿剤を多く含有することで水分の保持量が増し、しっとり感や柔らかさ等の品質の向上を期待することができる。
【先行技術文献】
【特許文献】
【０００３】
【特許文献１】特許第４７２３５５２号公報
【発明の概要】
【発明が解決しようとする課題】
【０００４】
しかしながら、保湿ティシューペーパーの収納箱は、通常、コートボール紙で作られているため、保湿ティシューペーパーに対する保湿剤の含有量が多い程、保湿剤が呼び込む水分により変形したりカビが繁殖したり様々な問題が発生する。従って、保湿剤を２５重量％以上、特に３０重量％以上含有することは困難である。
また、コートボール紙自体に防湿効果を持たせた場合、フラップ部（妻面部）においてホットメルトが溶着しにくくなるため、生産性が低下してしまう。また、コートボール紙の厚み（米坪)を増やした場合、折り成型が難しくなるため、やはり生産性が低下してしまうという問題がある。
【０００５】
本発明は、防湿効果を有するとともに、生産性の低下を防止することができる家庭用薄葉紙収納箱を提供することを目的とする。
【課題を解決するための手段】
【０００６】
請求項１に記載の発明は、上記目的を達成するためになされたものであり、
上面部、底面部、一対の側面部及び一対の妻面部により区画された箱体により構成され、当該箱体の内部空間に家庭用薄葉紙を収納して前記上面部に設けられた取出口から当該家庭用薄葉紙を取り出し可能な家庭用薄葉紙収納箱において、
前記底面部、及び一対の側面部は、前記箱体と、前記箱体を覆うカバー部と、からなる二層構造を有するとともに、前記妻面部は、前記箱体のみからなる構造を有し、
前記カバー部と前記箱体との間に防湿処理が施され、
前記カバー部は、前記箱体の裏面に位置していることを特徴とする。
【０００７】
請求項２に記載の発明は、請求項１に記載の家庭用薄葉紙収納箱において、
更に前記上面部は、前記二層構造を有することを特徴とする。
【０００８】
請求項３に記載の発明は、請求項１又は２に記載の家庭用薄葉紙収納箱において、
前記カバー部と前記箱体との間には、防湿剤が塗布されていることを特徴とする。
【０００９】
請求項４に記載の発明は、請求項１又は２に記載の家庭用薄葉紙収納箱において、
前記カバー部の前記箱体側の面又は前記箱体の前記カバー部側の面には、樹脂フィルムが貼付されていることを特徴とする。
【００１０】
請求項５に記載の発明は、請求項１〜４のいずれか一項に記載の家庭用薄葉紙収納箱において、
前記カバー部と前記箱体との間には、更に防カビ剤が塗布されていることを特徴とする。
【００１１】
請求項６に記載の発明は、請求項１〜５のいずれか一項に記載の家庭用薄葉紙収納箱において、
前記カバー部と前記箱体との間には、更に防臭剤が塗布されていることを特徴とする。
【００１２】
請求項７に記載の発明は、請求項１〜６のいずれか一項に記載の家庭用薄葉紙収納箱において、前記箱体に開閉自在に設けられるとともに、当該箱体の表面側から前記取出口を閉塞する蓋フラップ部を更に備えることを特徴とする。
【発明の効果】
【００１３】
請求項１に記載の発明によれば、防湿処理が施されたことにより防湿効果を得ることができるため、保管時の水分による変形を防ぐことができる。また、家庭用薄葉紙が含有する水分が最外層（箱体の表面）にまで浸透しないため、見映えを崩すことがない。さらに、妻面部は従来と同様であるため、接着部におけるホットメルトの溶着を阻害することはなく、生産性の低下を防止することができる。また、箱体の厚み（米坪)を増やす必要がないため、折り成型が容易であり、生産性の低下を防止することができる。
【００１４】
請求項２に記載の発明によれば、更に上面部を二層化することができるため、内部空間の機密性が増し、より強度の防湿効果を得ることができる。
【００１５】
請求項３に記載の発明によれば、防湿剤の塗布という簡易な作業のみで、容易に防湿効果を得ることができる。
【００１６】
請求項４に記載の発明によれば、防湿効果に優れる樹脂フィルムが貼付されているので、より強度の防湿効果を得ることができる。
【００１７】
請求項５に記載の発明によれば、防湿効果に加えて、防カビ剤が塗布されているので、カビの発生を防止することができる。
【００１８】
請求項６に記載の発明によれば、防湿効果に加えて、防臭剤が塗布されているので、倉庫保管時等の異臭の付着や、長期保管による湿気臭の付着等を防止することができる。
【００１９】
請求項７に記載の発明によれば、内部空間の機密性を向上させてより強度の防湿効果等を得られるとともに、意匠性を向上させることができる。
【図面の簡単な説明】
【００２０】
【図１】本実施形態に係るティシューカートンの一例を示す斜視図である。
【図２】ティシューカートンの箱体を展開した表面の展開図である。
【図３】ティシューカートンの箱体を展開した裏面の展開図である。
【図４】ティシューカートンの箱体を成形した側面の図である。
【図５】ティシューカートンのカバー体の表面の図である。
【図６】ティシューカートンのカバー体の裏面の図である。
【図７】ティシューカートンの箱体を展開した裏面にカバー体の裏面を貼り合わせた図である。
【図８】図１のＶIII−ＶIII部の一例を示す断面図である。
【図９】蓋フラップ部を有するティシューカートンの一変形例を示す傾斜図である。
【発明を実施するための形態】
【００２１】
以下、本発明の実施の形態を、図面を参照しながら詳細に説明する。但し、発明の範囲は、図示例に限定されない。
なお、本実施形態では、家庭用薄葉紙収納箱として、家庭用薄葉紙としての保湿ティシューペーパーを収納する、ティシューカートンを例示して説明を行う。
【００２２】
本実施形態に係るティシューカートン１は、図１〜図８に示すように、上面部２、底面部３、一対の側面部４，４、及び一対の妻面部５，５により区画された箱体１０と、箱体１０の上面部２、底面部３、及び一対の側面部４，４の裏面側に配されて、当該上面部２、底面部３、及び一対の側面部４，４を二層化するカバー部としてのカバー体１００と、により構成されている。このティシューカートン１の箱体１０は、図２及び図３に示す紙基材であるカートンブランク１ａを折り曲げることにより形成されるものである。このティシューカートン１の内部空間には、積層された保湿ティシューペーパーＴが収納されており、上面部２に形成された取出口２ａから保湿ティシューペーパーＴを外部へ取り出すことができるようになっている。
【００２３】
ここで、「箱体」とは、保湿ティシューペーパーＴを収納し得る内部空間が形成される形状のものであり、例えば、直方体状、立方体状等の六面体状のものを挙げることができる。例えば、図１は、ティシューカートン１を直方体状に構成した例である。
図１に示すティシューカートン１では、上面部２と底面部３、一対の側面部４，４及び一対の妻面部５，５がそれぞれ対向するように平行に配置される。なお、これらの形状において、二つの面の稜線部分を面取りしたもの等も「箱体」に含まれるものとする。
【００２４】
上面部２には、図３に示すように、取出口２ａを覆うように裏面側からスリット８ａを有する樹脂製のフィルム８が貼着されている。フィルム８は、上面部２裏面の取出口２ａ周囲に塗布された接着剤８ｂにより、スリット８ａが取出口２ａに臨むように上面部２に対して貼着される。そして、保湿ティシューペーパーＴは、このスリット８ａを通して外部に取り出されることとなる。なお、フィルム８の材質は、ポリエチレンやポリプロピレンが採用されるが、これらに限定されない。また、取出口２ａは、上面部２に設けられたミシン目を切って、上面部２の一部を切り取ることにより形成される。
【００２５】
また、図２及び図３に示すように、上面部２、底面部３及び側面部４，４は、それぞれ略長方形状に形成され、折り曲げ可能に連接されている。そして、底面部３の長手端縁には、側面部４の長手端縁と連結するための台形状の糊代部３ａが折曲線３ｂにて折り曲げ可能に連接されている。このように形成されたカートンブランク１ａは、上面部２、底面部３及び側面部４，４をそれぞれ折曲するとともに、糊代部３ａを折曲して底面部３と連接していない側の側面部４の裏面の長手端縁に糊付けして底面部３と側面部４とを連結することにより、筒状に形成される。
【００２６】
また、上面部２、底面部３及び一対の側面部４，４の両側端縁から、それぞれ上面側フラップ５ｂ、底面側フラップ５ａ、側面側フラップ５ｃが延出され、それぞれ折曲部１３，１４，１５にて内側に折り曲げ可能に連接されている。そして、上面側フラップ５ｂ、底面側フラップ５ａ及び一対の側面側フラップ５ｃが重畳するように取り付けられることにより、図１及び図４に示されるような妻面部５が形成されるようになっている。
【００２７】
また、箱体１０の裏面（内面）側には、カバー体１００が配されている。カバー体１００は、図５〜図８に示すように、上面部１０２、底面部１０３、及び一対の側面部１０４，１０４により区画されて構成されている。
【００２８】
上面部１０２、底面部１０３及び側面部１０４，１０４は、図５及び図６に示すように、それぞれ略長方形状に形成され、折り曲げ可能に連接されている。
また、上面部１０２には、図５〜図７に示すように、上面部２に形成された取出口２ａと同一形状の取出口１０２ａが形成されている。この取出口１０２ａは、カートンブランク１ａとカバー体１００とが貼り合わされた際に、取出口２ａと一体化するように形成されている。
また、カバー体１００の裏面、即ち、カートンブランク１ａに貼り合わされる側の面には、防湿処理が施されている。具体的には、図６に示すように、防湿剤Ｘ１が塗布されている。なお、使用される防湿剤Ｘ１としては、例えば、性能、価格のバランスに優れるワックスが挙げられる。ワックスとしてはパラフィンワックスを主剤としてこれに低分子ポリエチレン、エチレン−酢酸ビニルコポリマー、ブチルゴム等を混合させたものがよい。ワックス以外の防湿剤としては、水に不溶な高分子物質、例示すると、ポリ塩化ビニル、ポリ塩化ビニリデン、ポリ酢酸ビニル、エチレン−酢酸ビニルコポリマー、塩化ビニリデン−酢酸ビニルコポリマー等の溶液又はエマルジョンが挙げられる。
このように形成されたカバー体１００の裏面を、図７に示すように、カートンブランク１ａの裏面に貼り合わせる。即ち、カートンブランク１ａは、カバー体１００により覆われることとなる。なお、図７中の斜線は、カートンブランク１ａとカバー体１００とが貼り合わされて二層となっている様子を示している。そして、カバー体１００が貼り合わされたカートンブランク１ａを、折曲して筒状に形成することで、本実施形態に係るティシューカートン１が形成される。
【００２９】
本実施形態に係るティシューカートン１は、工場出荷時には、積層された複数の保湿ティシューペーパーＴを内部空間に収納し、各フラップを貼着して妻面部５を形成して内部空間を封緘することにより、側面部の強度を高め、ティシューカートン１の輸送や店頭での陳列時において、外部からの力によって保湿ティシューペーパーＴがティシューカートン１より脱出することを防止している。
【００３０】
次に、本実施形態に係るティシューカートン１の組立方法について説明する。
まず、カバー体１００の上面部１０２、底面部１０３及び側面部１０４，１０４の裏面、即ち、防湿剤Ｘ１が塗布された面を、それぞれカートンブランク１ａの上面部２、底面部３、及び一対の側面部４，４の裏面に貼り合わせる（図７参照）。
次いで、カバー体１００が貼り合わされたカートンブランク１ａは、上面部２（上面部１０２）、底面部３（底面部１０３）及び側面部４，４（側面部１０４，１０４）をそれぞれ折曲するとともに、糊代部３ａを折曲して底面部３（底面部１０３）と連接していない側の側面部４（側面部１０４）の裏面の長手端縁に糊付けして底面部３（底面部１０３）と側面部４（側面部１０４）とを連結することにより、筒状に形成される。これにより、上面部２（上面部１０２）、底面部３（底面部１０３）、及び一対の側面部４，４（側面部１０４，１０４）は、箱体１０と、箱体１０を覆うカバー体１００と、からなる二層構造を有する。
次いで、積層された複数の保湿ティシューペーパーＴを内部空間に収納する。
次いで、側面側フラップ５ｃを、対向配置される側面側フラップ５ｃの端部が対向するように、それぞれ内側に折曲し、次に、底面側フラップ５ａを折曲して、側面側フラップ５ｃの外面側に設けられた接着部Ｇ１によって側面側フラップ５ｃに貼着する。そして、上面側フラップ５ｂの裏面（内側面）端部が底面側フラップ５ａの外面端部に重畳するように、上面側フラップ５ｂを折曲し、底面側フラップ５ａに対して取り付ける。ここで、上面側フラップ５ｂの裏面端部の所定部位には接着部Ｇ２，Ｇ３が設けられており、上面側フラップ５ｂが底面側フラップ５ａに対して貼着される。このようにして、上面側フラップ５ｂ、底面側フラップ５ａ及び一対の側面側フラップ５ｃを重畳するように取り付けることにより、妻面部５を形成して、内部空間を封緘する。これにより、妻面部５は、箱体１０のみからなる構造を有する。
【００３１】
以上のように、本実施形態に係るティシューカートン１は、底面部３（底面部１０３）、及び一対の側面部４，４（側面部１０４，１０４）は、箱体１０と、箱体１０を覆うカバー体１００と、からなる二層構造を有するとともに、妻面部５は、箱体１０のみからなる構造を有し、カバー体１００と箱体１０との間に防湿処理が施され、カバー体１００は、箱体１０の裏面に位置している。
従って、本実施形態に係るティシューカートン１によれば、防湿処理が施されたことによる防湿効果を得ることができるため、保管時の水分による変形を防ぐことができる。また、保湿ティシューペーパーＴが含有する水分が最外層（箱体１０の表面）にまで浸透しないため、見映えを崩すことがない。さらに、妻面部５は従来と同様であるため、接着部Ｇ１〜Ｇ３におけるホットメルトの溶着を阻害することはなく、生産性の低下を防止することができる。また、箱体１０の厚み（米坪)を増やす必要がないため、折り成型が容易であり、生産性の低下を防止することができる。
【００３２】
特に、本実施形態に係るティシューカートン１によれば、カバー体１００の裏面には、防湿剤Ｘ１が塗布されている。従って、防湿剤Ｘ１の塗布という簡易な作業のみで、容易に防湿効果を得ることができる。
【００３３】
以上、本発明に係る実施形態に基づいて具体的に説明したが、本発明は上記実施形態に限定されるものではなく、その要旨を逸脱しない範囲で変更可能である。
【００３４】
例えば、上記実施形態では、上面部１０２、底面部１０３、及び一対の側面部１０４，１０４により区画されて構成されるカバー体１００を例示して説明しているが、これに限定されるものではない。例えば、上面部１０２を設けないカバー体１００を使用するようにしてもよい。この場合、上面部１０２を形成する分の紙量を減らすことができるので、コストを削減することができる。
【００３５】
また、上記実施形態では、防湿処理をカバー体１００の裏面に施すようにしているが、これに限定されるものではない。例えば、カバー体１００の裏面に施す代わりに、カートンブランク１ａの裏面、即ち、カバー体１００に貼り合わされる側の面に防湿処理を施すようにしてもよい。
【００３６】
また、上記実施形態では、カバー体１００の裏面に施す防湿処理として、防湿剤Ｘ１の塗布を例示して説明しているが、これに限定されるものではない。例えば、防湿剤Ｘ１を塗布する代わりに、樹脂フィルムを貼り付けるようにしてもよい。なお、使用される樹脂フィルムは、例えば、ＰＥ（ポリエチレン）、ＰＰ（ポリプロピレン）、ＰＥＴ（ポリエチレンテレフタレート）、ＥＶＯＨ（エチレン−ビニルアルコール共重合体）、ＰＶＣ（ポリ塩化ビニル）等の熱可塑性樹脂から形成される。また、防湿剤Ｘ１を塗布する代わりに、アルミを蒸着させてもよいし、アルミ箔を貼り合わせるようにしてもよい。
上記のように、防湿処理として、防湿剤Ｘ１を塗布する代わりに、防湿効果に優れる樹脂フィルムやアルミ箔を貼り付けることにより、防湿効果をより向上させることができる。
なお、カバー体１００の裏面に貼付する代わりに、カートンブランク１ａの裏面に貼付するようにしてもよい。
【００３７】
また、上記実施形態では、家庭用薄葉紙収納箱に収納する家庭用薄葉紙として保湿ティシューペーパーＴを例示して説明しているが、これに限定されるものではない。例えば、保湿されていない一般的なティシューペーパーを収納するようにしてもよい。また、例えば、ペーパータオル、キッチンペーパー、トイレットペーパー等のロール状シートを適用してもよい。
【００３８】
また、上記実施形態では、カバー体１００の裏面に防湿処理を施すようにしているが、更に、防カビ剤を塗布するようにしてもよい。これにより、カビの発生を防止することができる。なお、使用される防カビ剤としては、第四級アンモニウム塩、ノボビオシン、メチルナフトキノン、トリアジン、イソプラチオラン、イプロジオン、サイアベンダゾールなどが挙げられ、これらは、一種又は二種以上を混合して使用してもよい。
また、上記実施形態では、カバー体１００の裏面に防湿処理を施すようにしているが、更に、防臭剤を塗布するようにしてもよい。これにより、倉庫保管時等の異臭の付着や、長期保管による湿気臭の付着等を防止することができる。また、保湿されていない家庭用薄葉紙を収納する場合にも、効果を発揮することができる。なお、使用される防臭剤としては、ポリフェノール系消臭剤、両性界面活性剤、クエン酸、グラフト重合体系消臭剤、ベタイン化合物系消臭剤、スギ、ヒノキ等から抽出された精油類、二酸化チタン、二酸化アルミニウム、天然ゼオライト、合成ゼオライト、活性白土、モレキュラーシーブ、シリカゲル、大谷石、酸化カルシウム、酸化マグネシウム、麦飯石、活性炭、シクロデキストリン、ジルコニウム化合物、銅化合物、イオン交換樹脂などが挙げられ、これらは、一種又は二種以上を混合して使用してもよい。
なお、防カビ剤と防臭剤を両方とも塗布するようにしてもよい。また、カバー体１００の裏面に塗布する代わりに、カートンブランク１ａの裏面に塗布するようにしてもよい。
【００３９】
また、上記実施形態の変形例として、図９に示すように、箱体１０に開閉自在に設けられるとともに、当該箱体１０の表面側から取出口２ａを閉塞する蓋フラップ部１６を更に備えるようにしてもよい。蓋フラップ部１６を更に備えることにより、内部空間の機密性を向上させてより強度の防湿効果等を得られるとともに、意匠性を向上させることができる。
なお、箱体１０の上面部２や側面部４，４等を蓋フラップ部１６として利用することもできる。この場合、箱体１０の上面部２に取出口２ａは設けないようにするとともに、蓋フラップ部１６の裏面（カバー体１００側の面）、又はカバー体１００の裏面（フラップ部１６側の面）に防湿処理等を施すこととなる。
【００４０】
その他、ティシューカートン１の細部構成に関しても、本発明の趣旨を逸脱することのない範囲で適宜変更可能である。
【符号の説明】
【００４１】
Ｔ  保湿ティシューペーパー（家庭用薄葉紙）
１  ティシューカートン（家庭用薄葉紙収納箱）
１ａ  カートンブランク
２  上面部
３  底面部
４  側面部
５  妻面部
５ａ  底面側フラップ
５ｂ  上面側フラップ
５ｃ  側面側フラップ
８  フィルム
１６  蓋フラップ部
１００  カバー体（カバー部）
１０２  上面部
１０３  底面部
１０４  側面部
Ｘ１  防湿剤
【図１】
2014196110.tif 000003
【図２】
2014196110.tif 000004
【図３】
2014196110.tif 000005
【図４】
2014196110.tif 000006
【図５】
2014196110.tif 000007
【図６】
2014196110.tif 000008
【図７】
2014196110.tif 000009
【図８】
2014196110.tif 000010
【図９】
2014196110.tif 000011